(57)【要約】  色調整可能照明アセンブリ１００、光源、及び照明器具が提供される。色調整可能照明アセンブリ１００は、発光素子１１０、ルミネセンス層１０８、及び温度制御手段１０６を含む。発光素子１１０は、第１の色分布の光１１２を発する。ルミネセンス層１０８は、発光素子１１０によって発せられる光１１２を受ける。ルミネセンス層１０８は、第１の色分布の光１１２の一部を吸収し、吸収された光の一部を第２の色分布の光１０２に変換するルミネセンス材料を含む。第２の色分布は、ルミネセンス層１０８の温度に依存する。温度制御手段１０６は、ルミネセンス層１０８の温度を能動的に制御することにより色調整可能照明アセンブリによる発光を得る。発光は特定の色分布を有する。
2015508558.tif 000002
【特許請求の範囲】
【請求項１】
色調整可能照明アセンブリであって、
−第１の色分布の光を発する発光素子と、
−前記発光素子によって発せられた光を受けるルミネセンス層であって、前記ルミネセンス層は、前記第１の色分布の光の一部を吸収し、前記吸収された光の一部を第２の色分布の光に変換するルミネセンス材料を含み、前記第２の色分布は前記ルミネセンス層の温度に依存する、前記ルミネセンス層と、
−前記色調整可能照明アセンブリによる特定の色分布の発光を得るために前記ルミネセンス層の温度を能動的に制御する温度制御手段と
を含む、色調整可能照明アセンブリ。
【請求項２】
前記温度制御手段は、前記ルミネセンス層の温度を上昇させることにより前記第２の色分布の平均波長を上昇させる、請求項１に記載の色調整可能照明アセンブリ。
【請求項３】
−前記第１の色分布及び前記第２の色分布のうちの少なくとも一方の光を受ける他のルミネセンス層であって、前記他のルミネセンス層は、前記第１の色分布及び前記第２の色分布のうちの少なくとも一方の光の一部を吸収して、前記吸収された光の一部を第３の色分布の光に変換し、前記第３の色分布は、前記他のルミネセンス層の温度に依存する、前記他のルミネセンス層をさらに含む、請求項１に記載の色調整可能照明アセンブリ。
【請求項４】
前記温度制御手段は、さらに、前記特定の色分布を得るために前記他のルミネセンス層の温度を制御するか、又は
前記色調整可能照明アセンブリは、前記特定の色分布を得るために、前記他のルミネセンス層の温度を制御する他の温度制御手段を含む、請求項３に記載の色調整可能照明アセンブリ。
【請求項５】
前記ルミネセンス材料及び前記他のルミネセンス材料のうちの少なくとも一方は、有機蛍光体、無機蛍光体、及び量子ドットのうちの少なくとも１つを含む、請求項１又は３に記載の色調整可能照明アセンブリ。
【請求項６】
前記温度制御手段及び／又は前記他の温度制御手段は、能動的加熱手段及び能動的冷却手段のうちの少なくとも一方を含む、請求項１又は４に記載の色調整可能照明アセンブリ。
【請求項７】
前記能動的加熱手段は抵抗体であり、及び及び／又は前記能動的冷却手段はペルチェ素子である、請求項６に記載の色調整可能照明アセンブリ。
【請求項８】
前記ルミネセンス層の位置は前記発光素子の位置に対して相対的に制御可能であり、前記温度制御手段は、前記ルミネセンス層と前記発光素子との間の距離を制御することにより前記ルミネセンス層の温度を制御する、請求項１に記載の色調整可能照明アセンブリ。
【請求項９】
前記温度制御手段は、前記色調整可能照明アセンブリによって発せられる所望の色特性の指示を受けるための入力手段を含む、請求項１に記載の色調整可能照明アセンブリ。
【請求項１０】
−前記温度制御手段は、前記ルミネセンス層の温度を測定するための温度センサを含み、
−前記温度制御手段は、前記測定された温度に応じて前記ルミネセンス層の温度を制御する、請求項１に記載の色調整可能照明アセンブリ。
【請求項１１】
−前記温度制御手段は、前記色調整可能照明アセンブリによって発せられる光の色点又は色温度を測定するための光色センサを含み、
−前記温度制御手段は、前記測定された光の色点又は色温度に応じて前記ルミネセンス層の温度を制御する、請求項１に記載の色調整可能照明アセンブリ。
【請求項１２】
請求項１に記載の色調整可能照明アセンブリを含む光源。
【請求項１３】
請求項１に記載の色調整可能照明アセンブリ、又は請求項１２に記載の光源を含む照明器具。
【発明の詳細な説明】
【技術分野】
【０００１】
本発明は、色調整可能照明アセンブリに関する。
【背景技術】
【０００２】
良く知られた色調整可能照明デバイスは、例えば、それぞれが異なる原色を発する３つの発光素子を備える。３つの発光素子のそれぞれが発する光の量を制御することにより、かかる色調整可能デバイスは特定の色を発することができる。他の色調整可能照明デバイスは、発光素子及びルミネセンス素子を備える。かかる色調整可能照明デバイスにおいては、発光素子によって発せられる光の制御可能な一部がルミネセンス要素によって吸収されて他の色に変換されることにより、色調整可能照明デバイスの全発光の色が制御される。良く知られた色調整可能照明デバイスは多数の部品を含むため比較的高価であり、また比較的複雑である。
【発明の概要】
【発明が解決しようとする課題】
【０００３】
本発明の目的は、改良された色調整可能照明アセンブリを提供することである。
【課題を解決するための手段】
【０００４】
本発明の第１の側面は色調整可能照明アセンブリを提供する。本発明の第２の側面は光源を提供する。本発明の第３の側面は照明器具を提供する。好適な実施形態は従属請求項に記載される。
【０００５】
本発明の第１の側面に係る色調整可能照明アセンブリは、発光素子、ルミネセンス層、及び温度制御手段を含む。発光素子は、第１の色分布の光を発する。ルミネセンス層は、発光素子によって発せられた光を受ける。ルミネセンス層は、第１の色分布の光の一部を吸収し、吸収された光の一部を第２の色分布の光に変換する。第２の色分布は、ルミネセンス層の温度に依存する。温度制御手段は、色調整可能照明アセンブリによる発光を得るために、ルミネセンス層の温度を能動的に制御する。発光は、特定の色分布を有する。
【０００６】
ルミネセンス材料は、自身の吸収分布に応じて光を吸収し、自身の発光分布（本発明においては第２の色分布と定義されている）に応じて光を発する。特に、電磁スペクトルにおける発光分布の正確な形状及び発光分布の正確な位置は、ルミネセンス材料の動作温度に依存する。ルミネセンス材料の温度が上昇すると、発光分布はより高い波長側にシフトする。
【０００７】
色調整可能照明デバイスは、自身の発光の色分布を調整するためにこの効果を使用する。発光素子は第１の色分布の光を発する。第１の色分布の光の一部が吸収される。第１の色分布の光の吸収されなかった部分は色調整可能照明アセンブリによって出射される。吸収されなかった部分は、ルミネセンス材料の吸収分布外の光の波長を含み、また、吸収分布内に存在するが、ルミネセンス材料の量が限定的にしか存在しなかったために完全に吸収されなかった光の波長を含み得る。ルミネセンス材料は、第２の色分布に応じた光を発する。ルミネセンス材料によって発せられる光の量は吸収された光の量に依存する。したがって、色調整可能照明アセンブリによる全発光、よってその特定の色分布は、第２の色分布の光及びルミネセンス材料によって吸収されなかった第１の色分布の光を特定の量含む。
【０００８】
色調整可能照明デバイスは、ルミネセンス層の温度を能動的に制御し、結果として、上記のように、ルミネセンス層の正確な第２の色分布を能動的に制御できる温度制御手段を含む。ルミネセンス層の温度を変化させることにより、色調整可能照明アセンブリの全発光の色分布が変更され、よって出射光の色が変更される。温度が上昇されると、より高い波長の光がより多く出射される。したがって、発光はより赤色になる。よって、温度制御手段は発光の色を変更する有効な手段であり、また、色調整可能照明アセンブリによる出射光の特定の色分布を制御する有効な手段である。したがって、特定の色分布はルミネセンス層の温度に依存する。
【０００９】
例えば、色調整可能照明アセンブリが特定の色を発さなければならない場合、温度制御手段は、第１の色分布の吸収されなかった部分と第２の色分布との組み合わせが特定の色と実質的に一致する色点を実質的に有する特定の温度にルミネセンス層を制御する。
【００１０】
ルミネセンス材料は、自身の吸収分布に応じて光を吸収する。また、吸収分布はルミネセンス材料の動作温度にわずかに依存するが、この温度依存性の色温度調整可能照明アセンブリの特定の色分布に対する効果は、発光分布の温度依存性の効果と比べると比較的低い。
【００１１】
温度制御手段はルミネセンス層の温度を能動的に制御できることに留意されたい。これは、温度制御手段が、ルミネセンス層の温度を特定の温度にするよう能動的に作用することができる能動的なデバイスであることを意味する。また、能動的制御は、温度制御手段が温度を制御するためにエネルギーを消費することを意味する。エネルギーの消費は継続的でもよいし、又はパラメータの制御が限定された時間の間でしか要求されない場合は一時的のみでもよい。受動的冷却ファンはルミネセンス層の温度を制御するための温度制御手段とはみなされない。
【００１２】
発光素子は任意の種類の発光素子でよく、いくつかの実施形態においては、発光ダイオード、有機発光ダイオード、又は例えばレーザダイオード等の固体発光素子が用いられる。また、それぞれが第１の色分布又は異なる色分布を発する複数の発光素子が色調整可能照明アセンブリ内に設けられてもよい。発光素子自身も、第１の色分布を有する発光を得るために、例えば有機又は無機蛍光体等のルミネセンス材料を備えてもよい。
【００１３】
任意で、温度制御手段は、ルミネセンス層の温度を上昇させることにより第２の色分布の平均波長を上昇させるよう構成される。上記したように、ルミネセンス層の温度の上昇は、ルミネセンス材料の発光分布のより高い波長へのシフトをもたらし、よって、第２の色分布の平均波長のより高い波長へのシフトをもたらす。色調整可能照明アセンブリ全体としての特定の色分布に応じて、特定の色分布の相関色温度は上昇又は下降し得る。
【００１４】
特定の白色光の発光の色温度は、その特定の発光を放射する黒体の温度である。発光の色点が正確に色空間における黒体線上の点で無いとしても、色点は特定の色温度の白色光として人間の肉眼によって感じられ得る。用語「相関色温度」は、色点が特定の色温度の白色光に近いことを指すために用いられ、白色光の特定の色温度の値は相関色温度の値である。
【００１５】
任意で、色調整可能照明アセンブリは、第１の色分布及び／又は第２の色分布の光を受ける他のルミネセンス層を含む。他のルミネセンス層は、第１の色分布及び／又は第２の色分布の光の一部を吸収して、吸収された光の一部を第３の色分布の光に変換する他のルミネセンス材料を含む。第３の色分布は他のルミネセンス層の温度に依存する。色調整可能照明アセンブリの発光は第３の色分布の光も含むことになるので、他のルミネセンス層の使用は、色調整可能照明アセンブリによる他の（そしてより多くの）色の生成を可能にする。さらに、第３の色分布の光が追加されるので、色調整可能照明アセンブリによる発光の演色評価数（ＣＲＩ）が向上する。
【００１６】
任意で、温度制御手段はさらに、特定の色分布を得るために他のルミネセンス層の温度を制御するよう構成される。
【００１７】
任意で、色調整可能照明アセンブリは、特定の色分布を得るために他のルミネセンス層の温度を制御する他の温度制御手段を含む。他の温度制御手段の使用は、色調整可能照明アセンブリによって発せられる光の色を調整する追加のパラメータを提供する。（他のルミネセンス層の温度に依存する）上記した第３の色分布のシフトの効果に基づき、他のルミネセンス層の温度が変化すると、色調整可能照明アセンブリによる発光が変化する。
【００１８】
任意で、ルミネセンス材料及び他のルミネセンス材料のうちの少なくとも一方が、有機蛍光体、無機蛍光体、及び量子ドットのうちの少なくとも１つを含む。ルミネセンス材料及び他のルミネセンス材料として与えられる選択肢は、第１の色分布の光を他の色分布の光に変換するのに効果的且つ効率的なルミネセンス材料である。有機蛍光体及び無機蛍光体の吸収分布及び発光分布は比較的広く、これらが温度変化に応じてシフトする場合、色調整可能照明アセンブリの全発光の色点は色空間における近くの色点に変化する。よって、本発明の一実施形態は、全発光の色点を精細に調整するために用いることができ、これは、例えば所定の特定の色分布の発光を得るために材料及び製造プロセスにおける小さな誤差を補正しなければならない場合に有利である。量子ドットは比較的広い吸収分布を有し、吸収スペクトルがシフトする場合、第１の色分布の光の非吸収部分はわずかしか変化しない。量子ドットの発光分布は比較的狭いスペクトルであり、例えば幅３０ｎｍＦＷＨＭの分布である。かかる狭い発光スペクトルの平均が他の平均にシフトすると、有機又は無機蛍光体が使用された場合と比べ、色調整可能照明アセンブリの全発光の色点が最初の色点とは大きく異なる色点に変化することになる。したがって、量子ドットを用いた場合、色調整可能アセンブリは発光色分布の色を、より幅広い様々な色に制御することが可能である。これは、色調整可能照明アセンブリが異なる色の光を発する照明アセンブリとして使用される場合に有利である。
【００１９】
任意で、温度制御手段及び／又は他の温度制御手段は、能動的加熱手段及び能動的冷却手段のうちの少なくとも一方を備える。本発明は、ルミネセンス層及び／又は他のルミネセンス層の温度の低下のみ又は上昇のみに限定されない。温度制御手段及び／又は他の温度制御手段は、ルミネセンス層及び／又は他のルミネセンス層の温度を任意の所望の温度に制御するために能動的加熱手段及び能動的冷却手段を含んでもよい。用語「能動的」の使用は、加熱又は冷却を提供するためにエネルギーを消費することを指す。
【００２０】
任意で、能動的加熱手段は抵抗体であり、及び／又は能動的冷却手段はペルチェ素子である。加熱のために抵抗体が使用され、及び／又は冷却のためにペルチェ素子が使用される場合、温度制御手段及び／又は他の温度制御手段において可動部は使用されない。可動部は摩耗しやすい。よって、このオプションに係る能動的加熱手段及び能動的冷却手段は、色調整可能照明アセンブリの低メンテナンスコスト及び長寿命をもたらす。
【００２１】
能動的加熱手段又は能動的冷却手段の他の例は、ファン、又はＳｙｎｊｅｔ（登録商標）技術の応用である。Ｓｙｎｊｅｔ（登録商標）モジュールは、熱管理を必要とする位置に正確に向けることができる乱流パルスエアジェットを生成する。
【００２２】
任意で、ルミネセンス層の位置を発光素子の位置に対して相対的に制御することができる。温度制御手段は、ルミネセンス層と発光素子との間の距離を制御するよう構成される。温度制御手段は、例えば、ルミネセンス層を移動及び／又は発光素子を移動するためのリニアモータを備える。ルミネセンス層が発光素子の近くにある場合、ルミネセンス層は発光素子からより多くの熱を受け取り、周囲温度と比べて相対的に熱くなる。ルミネセンス層が発光素子から離れている場合、ルミネセンス層の温度は周囲温度に近いままである。したがって、ルミネセンス層と発光素子との間の距離を変更することは、ルミネセンス層の温度を制御する有効な手段である。利点は、ルミネセンス層を加熱又は冷却するために追加のエネルギーが必要ないということである。さらに、他のルミネセンス層の位置を発光素子の位置に対して相対的に制御可能でもよく、また、他の温度制御手段も同様に他のルミネセンス層と発光素子との間の距離を制御するよう構成されてもよい。所定の時間にかけて、ルミネセンス層と発光素子との間の距離がある距離になるようにルミネセンス層又は発光素子をある位置に移動するためにモータ又は他の移動手段にエネルギーが供給されるので、このオプションの制御も能動的制御である。
【００２３】
任意で、温度制御手段は、色調整可能照明アセンブリによって発せられるべき所望の色特性の指示を受けるための入力手段を含む。温度制御手段は、ルミネセンス層の温度を制御し、所望の色特性と実質的に等しい色特性を有する色調整可能照明アセンブリによる特定の発光を得るよう構成される。したがって、入力手段は、例えば色調整可能照明アセンブリの発光の所望の色点の指示、又は色調整可能照明アセンブリの発光の所望の色温度の指示を受ける。温度制御手段は、かかる所望の色特性を有する色調整可能照明アセンブリによる発光を可能な限り得るよう、ルミネセンス層の温度に作用する。ルミネセンス材料の第２の色分布はあるバンド幅内でしか変化できないので、温度制御手段はルミネセンス層の温度をあるバンド幅内でのみ制御可能であり、したがって、場合によっては、所望の色特性にちょうど合致する発光を得ることができない可能性がある。
【００２４】
任意で、温度制御手段はルミネセンス層の温度を測定するための温度センサを含み、温度制御手段は、（色調整可能照明アセンブリによって出射される）特定の色分布を得るために、測定された温度に応じてルミネセンス層の温度を制御するよう構成される。したがって、温度制御手段がルミネセンス層を所望の温度にするために自身の動作を調整できるよう、温度センサは温度制御手段にフィードバックを供給する。測定された温度が低すぎ、よってルミネセンス層の温度を上昇させなければならない場合、温度制御手段は、自身の特定の構成に応じて、加熱器を起動するか、又はルミネセンス層を発光素子に近づける。
【００２５】
色調整可能照明アセンブリが他のルミネセンス層も備える場合、他のルミネセンス層の温度が他の温度センサによって測定され得ることに留意されたい。さらに、色調整可能照明アセンブリが他の温度制御手段も備える場合、他の温度制御手段は、色調整可能照明アセンブリによる特定の発光を得るために、測定された（他のルミネセンス層の）温度に応じて他のルミネセンス層の温度を制御するよう構成される。
【００２６】
任意で、温度制御手段は、色調整可能照明アセンブリによって出射される光の色点又は色温度を測定するための光色センサを備える。温度制御手段は、（色調整可能照明アセンブリによって発せられる）特定の色分布を得るために、測定された光の色点又は色温度に応じてルミネセンス層の温度を制御するよう構成される。また、光色センサは色温度の代わりに相関色温度を測定してもよい。
【００２７】
さらに、色調整可能照明アセンブリが他の温度制御手段を備える場合、色調整可能照明アセンブリによる特定の発光を得るために、他の温度制御手段も測定された光の色点又は（相関）色温度に応じて他のルミネセンス層の温度を調整するよう構成される。
【００２８】
本発明の第２の側面によれば、本発明の第１の側面に係る色調整可能照明アセンブリを含む光源が提供される。
【００２９】
本発明の第３の側面によれば、本発明の第１の側面に係る色調整可能照明アセンブリ、又は本発明の第２の側面に係る光源を含む照明器具が提供される。
【００３０】
本発明の第２及び第３の側面に係る光源及び照明器具は、本発明の第１の側面に係る色調整可能照明アセンブリと同じ利益を提供し、また、当該システムの対応する実施形態と同様な効果を奏する同様な実施形態を有する。
【００３１】
本発明の上記及び他の側面は、後述される実施形態を参照して説明されることにより明確になるであろう。
【００３２】
当業者は、本発明の上記オプション、実施形態、及び／又は側面の２つ以上が、有用であるとみなされる任意の方法で組み合わせられることを理解するであろう。
【００３３】
当業者は本開示に基づいて、当該システムの開示の変形例及び改変例に対応する当該システムの変形例及び改変例を実施し得る。
【図面の簡単な説明】
【００３４】
【図１ａ】図１ａは、本発明の第１の側面に係る色調整可能照明アセンブリの一実施形態を概略的に示す。
【図１ｂ】図１ｂは、発光スペクトル及び吸光スペクトルをグラフに概略的に示す。
【図２ａ】図２ａは、材料ＣｄＳｅの量子ドットの発光スペクトルの量子ドットの温度に応じたシフトを概略的に示す。
【図２ｂ】図２ｂは、ルミネセンス層の異なる温度ごとに異なる色調整可能照明アセンブリの発光スペクトルを表す他のグラフを示す。
【図２ｃ】図２ｃは、ルミネセンス層の異なる温度ごとに異なる色調整可能照明アセンブリの発光スペクトルを表す他のグラフを示す。
【図３ａ】図３ａは、空気加熱及び／又は空気冷却を備える色調整可能照明アセンブリの一実施形態を概略的に示す。
【図３ｂ】図３ｂは、空気加熱及び／又は空気冷却を備える色調整可能照明アセンブリの他の実施形態を概略的に示す。
【図４ａ】図４ａは、加熱抵抗体を含む色調整可能照明アセンブリの一実施形態を概略的に示す。
【図４ｂ】図４ｂは、ペルチェ素子を含む色調整可能照明アセンブリの一実施形態を概略的に示す。
【図５ａ】図５ａは、異なるルミネセンス材料を含む２つの層を備える色調整可能照明アセンブリの一実施形態を概略的に示す。
【図５ｂ】図５ｂは、異なるルミネセンス材料を含む２つの層を備える色調整可能照明アセンブリの他の実施形態を概略的に示す。
【図６ａ】図６ａは、異なるルミネセンス材料を含む２つの層を備える色調整可能照明アセンブリの他の実施形態を概略的に示す。
【図６ｂ】図６ｂは、色調整可能照明アセンブリに２つの異なるルミネセンス材料が提供された場合の吸光及び発光スペクトルを表すグラフを概略的に示す。
【図７ａ】図７ａは、温度センサを含む色調整可能照明アセンブリの一実施形態を概略的に示す。
【図７ｂ】図７ｂは、光色センサを含む色調整可能照明アセンブリの一実施形態を概略的に示す。
【図８】図８は、発光素子とルミネセンス層との間の距離を制御する色調整可能照明アセンブリの一実施形態を概略的に示す。
【図９ａ】図９ａは、本発明の第２の側面に係る光源の一実施形態を概略的に示す。
【図９ｂ】図９ｂは、図９ａの光源の断面図を概略的に示す。
【図１０】図１０は、本発明の第３の側面に係る２つの照明器具を備える部屋の内部を概略的に示す。
【００３５】
異なる図面において同じ参照番号で示される項目は、同じ構造的特徴及び同じ機能を有するか、又は同じ信号である。かかる項目の機能及び／又は構造が既に説明されている場合、詳細な説明においてそれらを繰り返し説明する必要はない。
【００３６】
図面は純粋に図的であり、縮尺通りではない。特に明瞭さのために、いくつかの寸法は強く誇張されている。
【発明を実施するための形態】
【００３７】
第１の実施形態が図１ａに示される。図１ａは、本発明の第１の側面に係る色調整可能照明アセンブリ１００の一実施形態を示す。色調整可能照明アセンブリ１００は、第１の色分布の光１１２を発する発光素子１１０を含む。光１１２は、ルミネセンス層１０８に向けて発せられる。ルミネセンス層１０８は、発光素子１１０から受ける光１１２の一部を吸収するルミネセンス材料を含む。第１の色分布の光１１２のどの部分が吸収されるかは、ルミネセンス材料の吸収分布と第１の色分布との重なりに依存する。ルミネセンス材料は、吸収された光の一部を第２の色分布の光１０２に変換する。また、ルミネセンス層１０８によって吸収されない第１の色分布の光１１２も、光１０４として周囲に出射される。色調整可能照明アセンブリ１００は、温度制御手段１０６をさらに備える。温度制御手段１０６は、色調整可能照明アセンブリから発光を得るために、ルミネセンス層１０８の温度を制御するよう構成される。発光は特定の色分布を有する。特定の色分布は、第１の色分布の光１０２と、発光素子から発生し、ルミネセンス層１０８によって吸収されなかった光１０４との組み合わせである。
【００３８】
発光素子１１０は任意の種類の発光素子でよく、いくつかの実施形態においては、発光ダイオード、有機発光ダイオード、又は例えばレーザダイオード等の固体発光素子が用いられる。また、色調整可能照明アセンブリ内には、それぞれが第１の色分布又は異なる色分布を発する複数の発光素子が備えられ得る。さらに、発光素子１１０自身も、第１の色分布の発光を得るために、例えば有機又は無機蛍光体等のルミネセンス材料を備えてもよい。
【００３９】
ルミネセンス層１０８のルミネセンス材料は、有機蛍光体、無機蛍光体、又は量子ドットで有り得る。
【００４０】
図１ｂは、発光スペクトル１５８、１６０、１６２、及び吸光スペクトル１５４、１５６をグラフ１５０に概略的に示す。用語「発光／吸光スペクトル」と、用語「発光／吸光分布」とは、本明細書において交換可能に使用される。グラフ１５０のｘ軸は（可視）光の波長を表す。ｘ軸の左端は青色光の波長を表し、ｘ軸の右端は赤色光の波長を表す。グラフ１５０のｙ軸は光の強度を表す。ｙ軸の下端は強度０である。第１の発光スペクトル１５８は、発光素子１１０によって発せられる第１の色分布である。よって、発光素子１１０は青色光を発する。第１の吸収スペクトル１５４は、室温（例えば、２０℃）におけるルミネセンス材料の一例の吸収スペクトルである。室温において、第１の発光スペクトル１５８と第１の吸収スペクトル１５４との間の重複部は、ルミネセンス材料によって吸収される光の部分を表す。第１の発光スペクトル１５８の残りの部分は吸収されず、色調整可能照明アセンブリによって周囲に出射される。吸収光の比較的大部分が、ルミネセンス材料によって第２の色スペクトルの光に変換される。室温において、第２の発光スペクトル１６０はルミネセンス材料の発光スペクトルであり、よって、第２の色分布である。図１ｂの例において、第２の発光スペクトルは比較的狭く、これは、ルミネセンス材料として量子ドットが使用されているためで有り得る。
【００４１】
ルミネンス層の温度が例えば１５０℃に上昇する場合、ルミネセンス材料の第１吸収スペクトル１５４は、数ｎｍだけ高い波長にシフトし、ルミネセンス材料は第２の吸収スペクトル１５６を有するようになる。図から見て取れるように、発光素子によって発せされる青色光がより多く吸収され、よって、吸収されない残りの光の量は少なくなり、低い青色波長の青色光をより少量含む。しかし、吸光スペクトルのシフトは比較的小さく、よって、吸収スペクトルのシフトの効果は、色調整可能照明デバイスによる全発光においてわずかにしか確認されない。わずかに多くの光が吸収されるだけなので、ルミネセンス材料はわずかに多くの光を発するのみである。また、ルミネセンス材料の第２の発光スペクトル１６０は、特定の数ｎｍだけ高い波長にシフトする（１５２）。この例のような高い温度（例えば、１５０℃）において、ルミネセンス材料は第３の発光スペクトル１６２を発する。第３の発光スペクトル１６２は赤色光をより多く含み、また高い波長の赤色の光をより多く含む。したがって、高い温度において、色調整可能照明アセンブリの全発光は、より少量の青色光及びより多量の赤色光を含み、青色光の平均波長はわずかに高く、赤色光の平均波長は著しく高く、よって、発せられる光の色空間における色点の位置は、赤色により近く、この特定の例においてはより低い相関色温度を有する他の位置にシフトする。
【００４２】
本発明は、発光素子１１０によって発せられる光の部分吸収に限定されないことに留意されたい。ルミネセンス材料の量は、発光素子１１０によって発せられる光の全てが吸収されて第２の色分布に変換される程度に十分高くてもよい。例えば、ルミネセンス層は、発光素子１１０によって発せられる紫色光を、平均波長４４０ｎｍの青色色分布に完全に変換してもよい。温度制御手段１０６によってルミネセンス層の温度を制御することにより、変換光をより高い波長、例えば４６０ｎｍの青色光にシフトしてもよい。かかる色調整可能照明デバイスは、例えば直接蛍光体変換ＬＥＤ、又は緑色及び青色ＬＥＤと組み合わせられ得る。
【００４３】
図２ａは、特定のルミネセンス材料の温度に応じた発光スペクトルのシフトをグラフ２００に示す。特定のルミネセンス材料は、ＺｎＳシェル内の材料ＣｄＳｅの量子ドットからなる。ＣｄＳｅ粒子のコアサイズは約５ｎｍである。図示の発光スペクトルは、温度２６、４０、６０、８０、１００、及び１２０℃で測定され、発光スペクトルの平均波長は、それぞれ５９２．２、５９３．５、５９６．５、５９８．５、６００．５、及び６０２．５ｎｍであった。このように、ＣｄＳｅ量子ドットを含む層を加熱することによって異なる発光が得られる。提示した平均波長におけるシフトは、肉眼によって確認できる。
【００４４】
図２ｂは、他の色調光可能照明アセンブリのシミュレーション発光スペクトルを表すグラフ２６０を示す。図２ｃは、他の色調整可能照明アセンブリの他のシミュレーション発光スペクトルを表すグラフ２６０を示す。両図のシミュレーション色調整可能照明デバイスは、青色光を発する発光ダイオード（ＬＥＤ）、無機蛍光体ＹＡＧ、及び特定の狭い発光スペクトルを有する量子ドット（ＱＤ）を含む。両図において、ルミネセンス層の温度が上昇され、ルミネセンス層の温度に応じた異なる発光スペクトルが測定された。
【００４５】
グラフ２３０において、第１の発光スペクトルはピーク波長６１０ｎｍを有する。６１０ｎｍのピークは、比較的狭い発光スペクトルを有し、且つ発光スペクトルの正確な形状及び位置が量子ドットの温度に強く依存するルミネセンス材料に由来する。第１の発光スペクトルの相関色温度は３０３０Ｋである。量子ドットの温度を上昇させた後、ピーク波長６４０ｎｍを有する第２の発光スペクトルが得られた（グラフ２３０参照）。ピークのシフトは、当該ピークを発生させるルミネセンス材料の発光スペクトルのシフトによって引き起こされる。第２の発光スペクトルの相関色温度は３２８０Ｋである。したがって、この特定の例において、ルミネセンス層の温度が上昇すると、相関色温度が上昇する。
【００４６】
グラフ２６０において、第１の発光スペクトルはピーク波長５８０ｎｍを有する。５８０ｎｍのピークは、比較的狭い発光スペクトルを有し、且つ発光スペクトルの正確な形状及び位置がルミネセンス材料の温度に強く依存するルミネセンス材料に由来する。第１の発光スペクトルの相関色温度は３３７０Ｋである。ルミネセンス材料の温度を上昇させた後、ピーク波長５９０ｎｍを有する第２の発光スペクトルが得られた（グラフ２６０参照）。第２の発光スペクトルの相関色温度は３１９０Ｋである。ルミネセンス材料の温度を上昇させた後、ピーク波長６００ｎｍを有する第３の発光スペクトルが得られた（グラフ２６０参照）。第２の発光スペクトルの相関色温度は３０９０Ｋである。ピークのシフトは、量子ドットの発光スペクトルのシフトに主に起因することに留意されたい。したがって、この特定の例において、ルミネセンス層の温度が上昇すると相関色温度が低下する。
【００４７】
量子ドットは、粒径が約３０ｎｍ未満の無機半導体材料の小さな粒子である。適切な材料の例は、ＣｄＳ、ＺｎＳｅ、ＩｎＡｓ、ＧａＡ、及びＧａＮである。上記のように、量子ドットは特定の波長（材料の温度にも依存）の光を発する。発光波長を決定する他のパラメータは粒径である。
【００４８】
図３ａは、空気加熱及び／又は空気冷却を備える色調整可能照明アセンブリ３００の一実施形態を概略的に示す。色調整可能照明アセンブリ３００は、図１ａの色調整可能照明アセンブリ１００と同様である。ルミネセンス層１０８は一種のダクト３０２内に組み込まれており、これは、空気がルミネセンス層１０８に沿って自由に流れることができることを意味する。ダクト３０２は、温度制御手段３０８から給気口を介して加熱又は冷却された空気３０６を受ける。温度制御手段３０８は、加熱器及び／又は冷却器を含む。ルミネセンス層１０８の要求温度、及び環境空気の温度に応じて、ルミネセンス層１０８を特定の温度にするよう、加熱器又は冷却器が起動される。ダクト３０２の給気口の反対側において、ダクト３０２は、空気３０４が色調整可能照明アセンブリ３００から排出される排気口を有する。
【００４９】
他の実施形態において、温度制御手段は、ルミネセンス層１０８を冷却するためにダクト３０２に制御可能な量の環境空気を注入する制御可能ファン又はＳｙｎｊｅｔ（登録商標）技術のみを備える。Ｓｙｎｊｅｔ（登録商標）モジュールは、熱管理が必要な位置に正確に向けることができる乱流パルスエアジェットを生成できる。使用中、ルミネセンス層１０８はルミネセンス材料によって加熱される。光の変換中、少量の吸収光が熱に変換される。ダクトを介して特定の量の環境空気を引き入れることにより、ルミネセンス層１０８は特定の温度に保たれる。
【００５０】
図３ｂは、空気加熱及び／又は空気冷却を備える色調整可能照明アセンブリ３５０の他の一実施形態を概略的に示す。色調整可能照明アセンブリ３５０は図３ａの色調整可能照明アセンブリ３００と同様であるが、ダクト３０２の排気口を介してダクト３０２から排出される空気は、管（チューブ）３５２によって加熱器及び／又は冷却器を備える温度制御手段３５６に戻される。特に、ルミネセンス層１０８の温度が環境温度より著しく低く又は高くなければならない場合、再利用される空気はルミネセンス層１０８の温度に近い温度を有するはずなので、ダクト３０２から排出される空気を再利用することは効率的である。さらに、他の実施形態において、温度制御手段３５６は、管３５２を介して戻る空気の温度を測定する温度センサを有する。測定された温度はルミネセンス層１０８の温度の指標であり、温度制御手段３５６は、給気口を介してダクト３０２に供給される空気３５４の温度を変更するための入力として測定値を使用し、ルミネセンス層１０８を特定の温度にする。
【００５１】
図３ａ又は図３ｂの実施形態は空気のみに限定されない。ルミネセンス材料を加熱又は冷却するために流体を用いてもよい。
【００５２】
図４ａは、加熱抵抗体４０４を備える色調整可能照明アセンブリ４００の一実施形態を概略的に示す。色調整可能照明アセンブリ４００は、図１ａの色調整可能照明デバイス１００と同様である。違いは、温度制御手段４０２が加熱抵抗体４０４を含むことである。加熱抵抗体４０４は、発光素子１１０に面するルミネセンス層１０８の表面に熱結合される細いワイヤを含む。加熱抵抗体４０４は、光がほとんど全く遮られないような透明な材料内に埋め込まれる。温度制御手段４０２が加熱抵抗体４０４に電流を流すと、ルミネセンス層１０８が加熱される。加熱抵抗体４０４はルミネセンス層１０８の他の表面、例えば光が周囲に向けて出射される表面に設けられてもよいことに留意されたい。
【００５３】
図４ｂは、ペルチェ素子４６０を含む色調整可能照明アセンブリ４５０の一実施形態を概略的に示す。また、色調整可能アセンブリ４５０は反射配置に配置され、これは、ルミネセンス層１０８の、光４５６及び４５８が周囲に出射される方向と同じ方向に発光素子４５２が配置されることを意味する。
【００５４】
色調整可能照明アセンブリ４５０は、図１ａ及び図１ｂと関連して説明したようなルミネセンス層１０８を備える。ルミネセンス層１０８は、ペルチェ素子４６０と接するよう配置される。ペルチェ素子４６０は、ルミネセンス層１０８から熱を伝送することができる能動素子である。ペルチェ素子４６０は温度制御手段４６２によって制御され、温度制御手段４６２は、ペルチェ素子４６０に特定の量の電気エネルギーを供給し、ペルチェ素子がルミネセンス層１０８から特定の量の熱を輸送することを可能にし、ルミネセンス層１０８を特定の温度にする。したがって、ルミネセンス層１０８は能動的に冷却される。発光素子４５２は、ペルチェ素子４６０が配置されている側とは異なるルミネセンス層１０８の方向に配置される。発光素子４５２は、ルミネセンス層１０８に向けて第１の色分布の光４５４を出射する。光４５４の一部がルミネセンス材料によって吸収され、第２の色分布の光４５６に変換され得る。光の非吸収部分４５８はルミネセンス層１０８によって反射される。ルミネセンス層１０８内で生成され、ペルチェ素子４６０に向けて発せられる光がルミネセンス層１０８に、そして結果的には周囲に跳ね返されるよう、ルミネセンス層１０８と接するペルチェ素子４６０の表面は反射性で有り得る。発光素子４５２は、必ずしも発光４５６及び４５８を部分的に遮るようにルミネセンス層１０８の上方に直接存在するわけではないことに留意されたい。発光素子４５２が色調整可能照明アセンブリ４５０の発光の真ん中に存在せず、発光層１０８に向けて光を発することができるよう、発光素子４５２は、ルミネセンス層の左又は右側に配置されてもよい。
【００５５】
図５ａは、異なるルミネセンス材料を含む２つの層１０８及び５０４を備える色調整可能照明アセンブリ５００の一実施形態を概略的に示す。色調整可能照明アセンブリの構造は、図１ａの色調整可能照明アセンブリ１００と同様である。違いは、色調整可能照明アセンブリ５００においては２つのルミネセンス層１０８及び５０４が設けられている点である。第１のルミネセンス層１０８は、図１ａ及び図１ｂのルミネセンス層１０８と同様である。第２のルミネセンス層５０４は、第１のルミネセンス層１０８の発光素子１１０が配置されている方向の反対側に配置される。第２のルミネセンス層５０４は、第１のルミネセンス層１０８のルミネセンス材料とは異なる他のルミネセンス材料を含む。第１のルミネセンス層１０８によって第２のルミネセンス層５０４に向けて発せられる光は、第１の色分布の（非吸収）光と、第２の色分布の光１０２とを含む。他のルミネセンス材料は、自身の吸収スペクトルに応じて、第１のルミネセンス層１０８から受ける光の一部を吸収する。吸収光は、他のルミネセンス材料の発光スペクトルに応じて、第３の色分布の光５０２に変換される。色調整可能照明アセンブリの最終的な光出力は、非吸収光１０４及び第１の色分布の非吸収発光スペクトル成分、第２の色分布及び他のルミネセンス材料によって吸収されなかった第２の色分布の光のスペクトル成分の光１０２、並びに第３の色分布の光５０２を含む。
【００５６】
第１のルミネセンス層１０８と第２のルミネセンス層５０４とは直接接触しており、よって、温度制御手段１０６は、第１のルミネセンス層１０８の温度及び第２のルミネセンス層５０４の温度を制御し、色調整可能照明デバイス５００による特定の発光を得るよう構成されている。
【００５７】
図５ａの実施形態において、２つの異なるルミネセンス材料は別々の層内に配置されていることに留意されたい。他の実施形態において、材料は混合された単一のルミネセンス層内に配置されてもよい。さらに、３つ以上のルミネセンス材料が単一のルミネセンス層内に混合されてもよい。
【００５８】
図５ｂは、異なるルミネセンス材料を含む２つの層１０８及び５０４を備える色調整可能照明アセンブリ５５０の他の実施形態を示す。色調整可能照明アセンブリ５５０の配置は、図５ａの色調整可能照明アセンブリ５００の配置と同様である。違いは、第１のルミネセンス層１０８が第２のルミネセンス層５０４と直接接しておらず、よって、各ルミネセンス層１０８及び５０４の温度を独立して制御できる点にある。他の違いは、色調整可能照明アセンブリ５５０が、他のルミネセンス層の吸光スペクトル及び発光スペクトルに正確に作用するために、第２のルミネセンス層５０４の温度を制御する他の温度制御手段５５２を含む点にある。したがって、色調整可能照明アセンブリの光出力は、２つの異なるパラメータ、すなわち第１ルミネセンス層１０８の温度及び第２ルミネセンス層５０４の温度を制御することによって連続的に制御できる。また、他の温度制御手段５５２は、第１の温度制御手段１０８の上記の実施形態と同様に、冷却器、加熱器、ファン、加熱抵抗体、ペルチェ素子等を含んでもよいことに留意されたい。
【００５９】
図６ａは、異なるルミネセンス材料を含む２つの層１０８及び５０４を備える色調整可能照明アセンブリ６００の他の一実施形態を概略的に示す。色調整可能照明アセンブリ５００及び５５０において、第２のルミネセンス層５０４は、第１のルミネセンス層１０８からの光を受けた。色調整可能照明アセンブリ６００はこの点において変更されているが、色調整可能照明アセンブリ６００の残りの部分は色調整可能照明アセンブリ５５０と等しい。色調整可能照明アセンブリ６００において、第１のルミネセンス層１０８及び第２のルミネセンス層５０４は互いに並んで配置されており、これは、ルミネセンス層１０８及び５０４のそれぞれが発光素子１１０によって発せられる光線の一部内に配置されており、両者の光線の部分が重複しないことを意味する。色調整可能照明アセンブリ５５０において、両層は完全に重なる。他の実施形態では、発光素子１１０によって発せられる光線内において、第１のルミネセンス層１０８と第２のルミネセンス層５０４とが部分的に重複する。
【００６０】
他の一実施形態では、色調整可能照明アセンブリ５００、５５０、６００において、３つ以上のルミネセンス層が配置される。色調整可能照明アセンブリは単一の温度制御手段を有してもよいし、複数の温度制御手段を有してもよい。複数の温度制御手段が設けられる場合、異なるルミネセンス層の温度を互いに独立して制御することができる。
【００６１】
図６ｂは、色調整可能照明アセンブリ５００、５５０、６００内に設けられた２つの異なるルミネセンス材料の吸光スペクトル１５４、１５６、６５２、６５４、及び発光スペクトル６６０、６６２、１６０、１６２を表すグラフ６５０を概略的に示す。グラフ６５０は、図１ｂのグラフ１５０と同様である。明瞭さのために、発光素子１１０によって発せられる光の第１の色分布１５８は図示されていない。
【００６２】
第１のルミネセンス層１０８のルミネセンス材料は、室温において吸収スペクトル１５４を有する。第１のルミネセンス層１０８の温度が、例えば１５０℃に上昇した場合、吸収スペクトルは数ｎｍだけ高い波長にシフトし、ルミネセンス材料の吸収スペクトルは吸収スペクトル１５６である。発光スペクトル１６０は、第１のルミネセンス層１０８のルミネセンス材料の室温における発光スペクトルである。ルミネセンス層１０８が比較的暖かくなると（例えば、１５０℃）、発光スペクトル１６０は、より高い波長の発光スペクトル１６２にシフトする。
【００６３】
第２のルミネセンス層５０４の他のルミネセンス材料は、室温において吸収スペクトル６５２を有する。第２のルミネセンス層５０４の温度が例えば１５０℃に上昇した場合、吸収スペクトルは数ｎｍだけ高い波長にシフトし、他のルミネセンス材料の吸収スペクトルは吸収スペクトル６５４である。発光スペクトル６６０は、第２のルミネセンス層５０４の他のルミネセンス材料の室温における発光スペクトルである。第２のルミネセンス層５０４が比較的暖かくなると（例えば、１５０℃）、発光スペクトル６６０は、より高い波長の発光スペクトル６６２にシフトする（６５８）。
【００６４】
ルミネセンス材料及び他のルミネセンス材料の発光スペクトル１６０、１６２、６６０、６６２は比較的狭い。かかる発光スペクトルは、ルミネセンス材料として量子ドットを用いることによって得ることができる。
【００６５】
色調整可能照明デバイス５５０及び６００は第１のルミネセンス層１０８及び第２のルミネセンス層５０４の温度を独立して制御でき、よって、両者はそれぞれの発光スペクトルのシフト１５２及び６５８を独立して制御できる。
【００６６】
発光スペクトル１６０及び１６２は第１のルミネセンス層１０８のルミネセンス材料のスペクトルであり、発光スペクトル６６０及び６６２は、第２のルミネセンス層５０４の他のルミネセンス材料のスペクトルであることに留意されたい。しかし、他の実施形態においては反対でもよい。すなわち、第１のルミネセンス層１０８のルミネセンス材料はその温度に応じて発光スペクトル６６０及び６６２を有し、第２のルミネセンス層５０４の他のルミネセンス材料は発光スペクトル１６０及び１６２を有する。
【００６７】
図７ａは、温度センサ７０４を含む色調整可能照明アセンブリ７００の一実施形態を概略的に示す。色調整可能照明アセンブリ７００は図１ａの色調整可能照明アセンブリ１００と同様であるが、温度制御手段７０２が異なり、温度センサ７０４が設けられている。温度センサ７０４は、ルミネセンス層１０８の温度を測定するためにルミネセンス１０８の近くに配置されている。温度センサ７０４は、ルミネセンス層１０８の実際の温度を示す信号を供給する。信号は、温度制御手段７０２によってルミネセンス層１０８の温度を制御するために使用される。例えば、温度制御手段７０２がルミネセンス層１０８を特定の温度に保つよう構成される場合、測定された温度と特定の温度とのずれがルミネセンス層１０８に熱を与えるために又はルミネセンス層１０８を冷却するために使用される。加熱及び冷却は、上記の異なる手段によって実行されてもよい。したがって、温度センサ７０４は、温度制御手段７０２によるルミネセンス層１０８の正確な温度制御を可能にするフィードバックループにおいて使用される。さらに、温度制御手段７０２は、ルミネセンス層１０８の所望の温度を受ける入力手段を備えてもよい。受けられた所望の温度と測定された温度との間のずれは、ルミネセンス層１０８を加熱又は冷却するために用いられる。
【００６８】
図７ｂは、光色センサ７５２を備える色調整可能照明アセンブリ７５０の一実施形態を概略的に示す。色調整可能照明アセンブリ７５０は、図１ａの色調整可能照明アセンブリ１００と同様であるが、温度制御手段７５４が異なり、色センサ７５２が設けられている。色センサ７５２は、発せられた色分布が（部分的に）色センサ７５２に作用するよう、色調整可能照明アセンブリ７５０の発光内に配置される。色センサ７５２は、発光色分布の色空間における色点を測定し、及び／又は発光色分布の相関色温度を測定するよう構成される。色センサ７５２は、発光の実際の色点及び／又は実際の相関色温度を示す信号を生成する。信号は、温度制御手段７５４によってルミネセンス層１０８の温度を制御するために使用される。例えば、測定された相関色温度が高すぎる場合、色調整可能照明アセンブリ７５０の発光が低波長の光（青色光）をより少量含み、高波長の光（黄色／橙色／赤色光）をより多量含むよう、ルミネセンス層１０８を加熱しなければならない。例えば、測定された相関色温度が低すぎる場合、色調整可能アセンブリの発光が低波長の光（青色光）をより多量含み、高波長の光（黄色／橙色／赤色光）をより少量含むよう、ルミネセンス層１０８を冷却しなければならない。さらに温度制御手段７５４は、色調整可能照明アセンブリ７５０の発光の所望の色点又は所望の相関色温度を受ける入力手段を備えてもよい。測定された色点及び／又は測定された相関色温度と所望の色点及び／又は所望の相関色温度との間の差は、ルミネセンス層１０８の温度を制御するために用いられる。
【００６９】
色調整可能照明アセンブリ７５０が複数の温度制御手段を備える場合、各温度制御手段が図７ａ及び図７ｂと同様に温度センサ及び／又は色センサを備えてもよく、また、それぞれが入力手段を備えてもよい。複数の温度制御手段が存在する場合、温度センサ、色センサ、及び／又は入力手段は異なる温度制御手段によって共有されてもよい。
【００７０】
図８は、発光素子１１０とルミネセンス層１０８との間の距離ｄを制御する色調整可能照明アセンブリ８００の一実施形態を概略的に示す。色調整可能照明アセンブリ８００は、図１ａの色調整可能照明アセンブリ１００と同様である。主な違いは、発光素子１１０とルミネセンス層１０８との間の距離を制御できるよう、ルミネセンス層１０８の位置がリニアモータ８０４によって変更可能な点である。発光素子１１０は、使用中、通常比較的熱くなる。この熱は、ルミネセンス層１０８を加熱するために使用することができる。ルミネセンス層１０８を発光素子１１０の比較的近くに移動することにより、ルミネセンス層１０８は発光素子１１０から比較的多量の熱を受け取り、暖かくなる。ルミネセンス層１０８を発光素子１１０から離すように移動することにより、ルミネセンス層１０８は少しの熱しか受け取らず、冷たくなる。したがって、温度制御手段８０２はリニアモータ８０４を制御してルミネセンス層１０８と発光素子１１との間の距離ｄを変化させ、もってルミネセンス層１０８の温度を制御する。他の実施形態において、リニアモータは発光素子１１０に結合され、発光素子１１０をルミネセンス層１０８の近くに又は遠くに動かす。
【００７１】
色調整可能アセンブリ８００の電源が入れられた時、発光素子１１０及びルミネセンス層１０８は周囲と同じ温度を有する。一実施形態において、ルミネセンス層１０８が周囲温度よりも著しく高い温度にならなければならない場合、ルミネセンス層１０８は、色調整可能アセンブリ８００の電源が入れられるとすぐに発光素子１１０に近い位置に移動される。いくらかの時間が経過すると、ルミネセンス層１０８は発光素子１１０によって十分に高いレベルまで加熱される。そして、ルミネセンス層１０８は、ルミネセンス層１０８が放射、対流、及び伝導によって失う熱量と同じ熱量を発光素子１１０から受け取る位置に移動される。
【００７２】
図９ａは、本発明の第２の側面に係る光源９００の一実施形態を概略的に示す。図９ｂは、図９ａの線Ａ−Ａ’に沿う光源９００の断面図を概略的に示す。光源９００は、管形電球の形状を有する。光源９００は、発光素子９５４及びルミネセンス層９５２が設けられている細長い透明管９１０を備える。透明管９１０の一端において、円柱状の温度制御手段９０６が透明管９１０に結合されている。温度制御手段９０６は、給気孔９０２を有する。温度制御手段９０６は、透明管９１０内に特定の温度の空気を吹き込むことによりルミネセンス層９５２を加熱又は冷却する。透明管９１０の他端において、空気９１２は周囲に吐き出される。図９ｂに示すように、発光素子９５４はルミネセンス層９５２に向けて第１の色分布の光を発する。ルミネセンス層９５２は、受ける第１の色分布の光の少なくとも一部を第２の色分布の光に変換するためのルミネセンス材料を含む。ルミネセンス材料の発光スペクトルはルミネセンス材料の温度に依存する。
【００７３】
光源９００の形状は管形状に限定されない。他の形状、例えば慣用的な電球又は平面大面積光源等も選択可能である。
【００７４】
他の実施形態において、色調整可能照明アセンブリは他の照明アセンブリの隣に配置され得る。例えば、色調整可能照明アセンブリがスペクトルの青色系部分を調整する（例えば、４４０〜４６０ｎｍの間で切り替える）一方、第２の光源が、例えばスペクトルの黄色及び赤色部分を供給してもよい。このようにすることで、白色光を供給し、光の一部を制御（すなわち、スペクトル調整）する照明装置（配置）が得られる。
【００７５】
図１０は、本発明の第３の側面に係る２つの照明器具１００４及び１００６を備える部屋１０００の内部を概略的に示す。部屋の天井１００２には、例えば図９ａ及び図９ｂの光源９００を複数含む第１の照明器具１００４が設けられている。壁１００８には、例えば本発明の第１の側面に係る色調整可能照明アセンブリを含む他の照明器具１００６が設けられている。
【００７６】
上記実施形態は本発明を限定ではなく説明するものであり、当業者は、特許請求の範囲から逸脱することなく多数の変形例を設計できるであろう。
【００７７】
請求項において、括弧内の参照符号は請求項を限定すると解されるべきではない。動詞「含む（又は備える若しくは有する）」及びその活用形の使用は、請求項内に記載された以外の要素又はステップの存在を排除しない。要素は複数を除外しない。本発明は、複数の別個の要素を含むハードウェアによって、及び適切にプログラミングされたコンピュータによって実装され得る。複数の手段を列挙する装置請求項において、これらの手段のうちの複数が同一のハードウェアアイテムによって具現化されてもよい。いくつかの手段が互いに異なる従属請求項に記載されているからといって、それらの手段を好適に組み合わせて使用することができないとは限らない。
【図１ａ】
2015508558.tif 000003
【図１ｂ】
2015508558.tif 000004
【図２ａ】
2015508558.tif 000005
【図２ｂ】
2015508558.tif 000006
【図２ｃ】
2015508558.tif 000007
【図３ａ】
2015508558.tif 000008
【図３ｂ】
2015508558.tif 000009
【図４ａ】
2015508558.tif 000010
【図４ｂ】
2015508558.tif 000011
【図５ａ】
2015508558.tif 000012
【図５ｂ】
2015508558.tif 000013
【図６ａ】
2015508558.tif 000014
【図６ｂ】
2015508558.tif 000015
【図７ａ】
2015508558.tif 000016
【図７ｂ】
2015508558.tif 000017
【図８】
2015508558.tif 000018
【図９ａ】
2015508558.tif 000019
【図９ｂ】
2015508558.tif 000020
【図１０】
2015508558.tif 000021
【国際調査報告】
2015508558.tif 000022
2015508558.tif 000023
2015508558.tif 000024